(57)【要約】【課題】装置が多機能化されてもユーザの操作性を向上させる。【解決手段】ＵＳＢメモリ２０を画像形成装置１０のプロセッサ１１に結合させて画像形成装置１０に電源を投入することにより、ＵＳＢメモリ２０に格納されたユーザメニュー表示プログラムが他の必要なプログラムとともに起動されて、１つの画像形成装置１０につき、ユーザ毎に、そのユーザがよく利用する機能が簡単に起動できるようにメニューが表示される。他の例では、ＵＳＢメモリ２０に、ユーザメニューレイアウトデータを格納させておき、ＵＳＢメモリ２０をプロセッサ１１に結合させることにより、ＵＳＢメモリ２０に格納されたユーザメニューレイアウトデータに基づきユーザメニュー画面を作成させてこれを前回のユーザメニュー画面と置換させる。【選択図】図１
2008022130.tif 000002
【特許請求の範囲】
【請求項１】
画像形成装置起動方法において、該画像形成装置は、プロセッサと、該プロセッサに結合された設定メモリ、メインメモリ及び固定記憶装置と、該プロセッサに結合された操作パネルとを備え、該プロセッサに対しリムーバル記憶装置が結合離脱自在であり、該固定記憶装置にはオペレーティングシステム及びアプリケーションが格納され、該設定メモリに設定されたドライブ起動順に従ってオペレーティングシステム及びアプリケーションを起動させ、このアプリケーションが該操作パネルに対する規定のメニュー表示プログラムを含み、
該リムーバル記憶装置に、オペレーティングシステム及びアプリケーションを格納させておき、このアプリケーションが該操作パネルに対するユーザメニュー表示プログラムを含み、
該設定メモリに対し、該画像形成装置内の固定記憶装置よりも該リムーバル記憶装置の方を優先させて該ドライブ起動順を設定しておき、
該リムーバル記憶装置を該プロセッサに結合させ、該画像形成装置に電源を投入することにより、該プロセッサに対し該リムーバル記憶装置を起動ドライブにさせて、該リムーバル記憶装置に格納された該オペレーティングシステム及び該アプリケーションを該メインメモリにロードさせて起動させる、
ことを特徴とする画像形成装置起動方法。
【請求項２】
リブートプログラムを該固定記憶装置に格納しておき、
該リブートプログラムが該プロセッサに対し、該プロセッサに該リムーバル記憶装置が結合されたことに応答して、該プロセッサにリセット割込をかけさせることにより、該プロセッサに対し該リムーバル記憶装置を起動ドライブにさせて、該リムーバル記憶装置に格納された該オペレーティングシステム及び該アプリケーションを該メインメモリにロードさせて起動させる、
ことを特徴とする請求項１に記載の画像形成装置起動方法。
【請求項３】
画像形成装置用メニュー表示方法において、該画像形成装置は、プロセッサと、該プロセッサに結合された記憶手段と、該プロセッサに結合された操作パネルとを備え、該プロセッサに対しリムーバル記憶装置が結合離脱自在であり、該記憶手段にはオペレーティングシステム及びアプリケーションが格納され、該アプリケーションは、操作パネルに対するメニュー表示プログラムと、ユーザメニュー切替プログラムとを含み、
該リムーバル記憶装置に、ユーザメニューレイアウトデータを格納させておき、
該リムーバル記憶装置を該プロセッサに結合させることにより、該プロセッサに対しユーザメニュー切替プログラムを起動させ、該ユーザメニュー切替プログラムが該プロセッサに対し、該リムーバル記憶装置に格納された該ユーザメニューレイアウトデータに基づきユーザメニュー画面を作成させてこれを前回のユーザメニュー画面と置換させる、
ことを特徴とする画像形成装置用メニュー表示方法。
【請求項４】
プロセッサと、
該プロセッサに結合されプログラム及びデータが格納された記憶手段と、
該プロセッサに結合された入力手段と、
該プロセッサに結合された表示手段と、
を有し、該プログラムは、メニュー表示プログラムとユーザメニュー切替プログラムとを有し、該データは、ユーザ識別コードとユーザメニューレイアウトデータとが対応付けられたものを有し、
該メニュー表示プログラムは該プロセッサに対し、該入力手段からの指示に応じて、該表示手段に規定のメニュー画面又はユーザメニュー画面を表示させ、
該ユーザメニュー切替プログラムは該プロセッサに対し、該入力手段からのユーザ識別コード入力に応答して、該ユーザ識別コードに対応したユーザメニューレイアウトデータを該記憶手段から読み出させ、該ユーザメニューレイアウトデータに基づきユーザメニュー画面を作成させて、元のユーザメニュー画面と置換させる、
ことを特徴とする画像形成装置。
【請求項５】
該ユーザメニューレイアウトデータは、該規定のメニュー画面に含まれている釦、テキストボックス又はラベルであるコントロールの名前又は識別コードと、該コントロールの表示画面上配置座標とを含むことを特徴とする請求項４に記載の画像形成装置。
【請求項６】
該入力手段はタグリーダを含み、該入力手段からのユーザ識別コード入力は該タグリーダで読み取られた電子タグＩＤであることを特徴とする請求項４又は５に記載の画像形成装置。
【発明の詳細な説明】
【技術分野】
【０００１】
本発明は、コピー、プリント又はファクシミリ等の機能を備えた画像形成装置並びにその起動方法及びメニュー表示方法に関する。
【背景技術】
【０００２】
画像形成装置、特にコピー、プリント、ファクシミリ及び電子メール等の機能を備えた複合機では、多機能化によりメニュー構造が複雑となり、操作性が悪化する。
【０００３】
一方、下記特許文献１には、ハードディスクやＳＤカード等から画像形成装置を起動させる方法が開示されている。
【特許文献１】特開２００６−２００５８号公報
【発明の開示】
【発明が解決しようとする課題】
【０００４】
上記特許文献１の発明は、ＲＯＭ以外のデバイスに起動プログラムを格納してシステムを起動させることによりコストダウンを図ることを目的としたものであり、ユーザの操作性向上とは無関係である。
【０００５】
本発明の目的は、装置が多機能化されてもユーザの操作性を向上させることができる画像形成装置並びにその起動方法及びメニュー表示方法を提供することにある。
【課題を解決するための手段】
【０００６】
本発明の第１態様では、画像形成装置起動方法において、該画像形成装置は、プロセッサと、該プロセッサに結合された設定メモリ、メインメモリ及び固定記憶装置と、該プロセッサに結合された操作パネルとを備え、該プロセッサに対しリムーバル記憶装置が結合離脱自在であり、該固定記憶装置にはオペレーティングシステム及びアプリケーションが格納され、該設定メモリに設定されたドライブ起動順に従ってオペレーティングシステム及びアプリケーションを起動させ、このアプリケーションが該操作パネルに対する規定のメニュー表示プログラムを含み、
該リムーバル記憶装置に、オペレーティングシステム及びアプリケーションを格納させておき、このアプリケーションが該操作パネルに対するユーザメニュー表示プログラムを含み、
該設定メモリに対し、該画像形成装置内の固定記憶装置よりも該リムーバル記憶装置の方を優先させて該ドライブ起動順を設定しておき、
該リムーバル記憶装置を該プロセッサに結合させ、該画像形成装置に電源を投入することにより、該プロセッサに対し該リムーバル記憶装置を起動ドライブにさせて、該リムーバル記憶装置に格納された該オペレーティングシステム及び該アプリケーションを該メインメモリにロードさせて起動させる。
【０００７】
本発明による画像形成装置起動方法の第２態様では、第１態様において、
リブートプログラムを該固定記憶装置に格納しておき、
該リブートプログラムが該プロセッサに対し、該プロセッサに該リムーバル記憶装置が結合されたことに応答して、該プロセッサにリセット割込をかけさせることにより、該プロセッサに対し該リムーバル記憶装置を起動ドライブにさせて、該リムーバル記憶装置に格納された該オペレーティングシステム及び該アプリケーションを該メインメモリにロードさせて起動させる。
【０００８】
本発明による画像形成装置用メニュー表示方法の第１態様では、該画像形成装置は、プロセッサと、該プロセッサに結合された記憶手段と、該プロセッサに結合された操作パネルとを備え、該プロセッサに対しリムーバル記憶装置が結合離脱自在であり、該記憶手段にはオペレーティングシステム及びアプリケーションが格納され、該アプリケーションは、操作パネルに対するメニュー表示プログラムと、ユーザメニュー切替プログラムとを含み、
該リムーバル記憶装置に、ユーザメニューレイアウトデータを格納させておき、
該リムーバル記憶装置を該プロセッサに結合させることにより、該プロセッサに対しユーザメニュー切替プログラムを起動させ、該ユーザメニュー切替プログラムが該プロセッサに対し、該リムーバル記憶装置に格納された該ユーザメニューレイアウトデータに基づきユーザメニュー画面を作成させてこれを前回のユーザメニュー画面と置換させる。
【０００９】
本発明による画像形成装置の第１態様では、
プロセッサと、
該プロセッサに結合されプログラム及びデータが格納された記憶手段と、
該プロセッサに結合された入力手段と、
該プロセッサに結合された表示手段と、
を有し、該プログラムは、メニュー表示プログラムとユーザメニュー切替プログラムとを有し、該データは、ユーザ識別コードとユーザメニューレイアウトデータとが対応付けられたものを有し、
該メニュー表示プログラムは該プロセッサに対し、該入力手段からの指示に応じて、該表示手段に規定のメニュー画面又はユーザメニュー画面を表示させ、
該ユーザメニュー切替プログラムは該プロセッサに対し、該入力手段からのユーザ識別コード入力に応答して、該ユーザ識別コードに対応したユーザメニューレイアウトデータを該記憶手段から読み出させ、該ユーザメニューレイアウトデータに基づきユーザメニュー画面を作成させて、元のユーザメニュー画面と置換させる。
【００１０】
本発明による画像形成装置の第２態様では、第１態様において、該ユーザメニューレイアウトデータは、該規定のメニュー画面に含まれている釦、テキストボックス又はラベルであるコントロールの名前又は識別コードと、該コントロールの表示画面上配置座標とを含む。
【００１１】
本発明による画像形成装置の第３態様では、第１又は２態様において、該入力手段はタグリーダを含み、該入力手段からのユーザ識別コード入力は該タグリーダで読み取られた電子タグＩＤである。
【発明の効果】
【００１２】
上記画像形成装置起動方法の第１態様の構成によれば、リムーバル記憶装を画像形成装置のプロセッサに結合させて該画像形成装置に電源を投入することにより、該リムーバル記憶装に格納されたアプリケーションに含まれる、操作パネルに対するユーザメニュー表示プログラムが起動されるので、１つの画像形成装置について、ユーザ毎に、そのユーザがよく利用する機能を簡単に起動できるようにメニューを表示させることができ、画像形成装置の操作性が向上するという効果を奏する。
【００１３】
上記画像形成装置起動方法の第２態様の構成によれば、画像形成装置を起動させた後にリムーバル記憶装を画像形成装置のプロセッサに結合させても、リブートプログラムによりユーザメニュー表示プログラムが起動されるので、画像形成装置の操作性がさらに向上する。
【００１４】
上記画像形成装置用メニュー表示方法の第１態様の構成によれば、リムーバル記憶装置に、ユーザメニューレイアウトデータを格納させておき、該リムーバル記憶装置を該プロセッサに結合させることにより、該リムーバル記憶装置に格納された該ユーザメニューレイアウトデータに基づきユーザメニュー画面を作成させてこれを前回のユーザメニュー画面と置換させるので、上記第１態様の効果が得られるとともに、上記画像形成装置起動方法の第１態様よりも高速にメニューを表示させることができ、画像形成装置の操作性がさらに向上するという効果を奏する。
【００１５】
上記画像形成装置の第１態様の構成によれば、入力手段からの指示に応じて、表示手段に規定のメニュー画面又はユーザメニュー画面を表示させ、該入力手段からのユーザ識別コード入力に応答して、該ユーザ識別コードに対応したユーザメニューレイアウトデータを記憶手段から読み出させ、該ユーザメニューレイアウトデータに基づきユーザメニュー画面を作成させて、元のユーザメニュー画面と置換させるので、上記画像形成装置用メニュー表示方法の第１態様の効果が得られるとともに、さらに容易にメニューを表示させることができ、画像形成装置の操作性がさらに向上するという効果を奏する。
【００１６】
上記画像形成装置の第２態様の構成によれば、該ユーザメニューレイアウトデータが、該規定のメニュー画面に含まれている釦、テキストボックス又はラベルであるコントロールの名前又は識別コードと、該コントロールの表示画面上配置座標とを含むので、容易にユーザメニューレイアウトデータを作成することができるという効果を奏する。
【００１７】
上記画像形成装置の第３態様の構成によれば、該入力手段がタグリーダを含み、該入力手段からのユーザ識別コード入力が該タグリーダで読み取られた電子タグＩＤであるので、上記画像形成装置の第１態様よりもさらに容易にユーザメニューを表示させることができ、画像形成装置の操作性がさらに向上するという効果を奏する。
【００１８】
本発明の他の目的、構成及び効果は以下の説明から明らかになる。
【実施例１】
【００１９】
図１は、本発明の実施例１に係る画像形成装置１０の概略ブロック図である。
【００２０】
この画像形成装置１０では、ＭＰＵ１１にインタフェース１２を介してＮＶＲＡＭ１３Ｎ１、ＮＶＲＡＭ１３Ｎ２、ＤＲＡＭ１３Ｄ、ＨＤＤ１４、操作パネル１５、スキャナ１６Ｓ、プリンタ１６Ｐ、ＮＩＣ１７、モデム１８及びポート１９が結合されている。図１では、簡単化のため、複数のインタフェースを１つのブロックで示している。
【００２１】
ＮＶＲＡＭ１３Ｎ１及び１３Ｎ２は、例えばフラッシュメモリである。
【００２２】
ＮＶＲＡＭ１３Ｎ１には、ＢＩＯＳ（Ｂａｓｉｃ  Ｉｎｐｉｔ  Ｏｕｔｐｕｔ  Ｓｙｓｔｅｍ）及びＢＩＯＳ設定データが格納されている。この設定データには、オペレーティングシステム（ＯＳ）が格納されているデバイスの起動順が含まれている。この起動順は、ポート１９に接続されるＵＳＢメモリ２０が１番、ＮＶＲＡＭ１３Ｎ２が２番となっている。
【００２３】
ＮＶＲＡＭ１３Ｎ２には、ＯＳ、ＯＳの上層のアプリケーション（ＡＰＬ）及びＯＳの下層のデバイスドライバ（ＤＤ）が格納されている。このアプリケーションは、画像形成装置１０を複合機として機能させるためのものを含んでおり、この機能には、コピー、スキャン、プリント、ファクシミリ及び電子メールがある。該アプリケーションにはまた、操作パネルアプリケーションが含まれており、これは操作パネル１５のキー入力処理及び表示画像処理を行うものであって、ユーザに依存しない規定のものであり、多機能な画像形成装置１０に対応させるためメニュー表示が階層構造になっている。
【００２４】
ＤＲＡＭ１３Ｄは、主メモリ用である。ＨＤＤ１４は、データ格納用である。操作パネル１５は、タッチパネルを備えている。スキャナ１６Ｓは、コピー及びファックス送信での画像入力用である。プリンタ１６Ｐは、プリントエンジン、定着器並びに用紙の給紙部、搬送部及び排紙部を備えており、供給されるビットマップデータに基づいてプリントエンジンの感光ドラムに静電潜像を形成し、これをトナーで現像し、用紙に転写し定着させた後に排紙する。ＮＩＣ１７は、ケーブル又は無線の通信媒体を介してホストコンピュータ２１に結合されている。モデム１８は、ファックス送受信用である。
【００２５】
ＵＳＢメモリ２０には、イニシャルプログラムローダ（ＩＰＬ）、ＯＳローダ（ＯＳＬ）、ＯＳ、アプリケーション及びデバイスドライバが格納されている。このアプリケーションに含まれる操作パネルアプリケーションは、ＵＳＢメモリ２０を保持しているユーザに専用のユーザメニュー表示プログラムを含み、このプログラムでは、このユーザがよく使用する機能を簡単な操作で利用できるようにメユーが設定されている。このユーザが使用しない機能のアプリケーション、例えばプリントアプリケーションは、ＵＳＢメモリ２０に格納する必要がない。
【００２６】
図２は、ＵＳＢメモリ２０に格納された操作パネルアプリケーションにより上記タッチパネルに表示されるメニュー画面を示す。この画面には、コピー釦１５０、ファックス釦１５１、電子メール釦１５２、詳細設定釦１５３及び実行釦１５４が表示されている。釦１５０〜１５２はトグル式であり、いずれも、押下する毎にそのボタンの反転表示と非反転表示とが交互に行われる。この反転表示は、選択状態を意味しており、この状態で、詳細設定釦１５３を押下するとその機能に関する詳細設定画面に切り替わり、一方、実行釦１５４を押下すると、その機能が実行される。
【００２７】
図２の場合、コピーについては、Ａ４横の原稿を、１段目の給紙段に入っているＡ４縦の用紙に倍率１で印刷する初期設定になっている。ファクシミリ送信については、よく使用する送信先のファクシミリ番号が初期設定されている。同様に、電子メール送信については、よく使用する送信先電子メールアドレスが初期設定されている。
【００２８】
次に、上記の如く構成された画像形成装置１０の動作について説明する。
【００２９】
画像形成装置１０の電源をオンにすると、まず、ＭＰＵ１１にパワーオンリセット割込みがかかり、ＢＩＯＳに制御が移る。このＢＩＯＳはＭＰＵ１１に対し、ＤＲＡＭ１３Ｄのメモリチェックを行わせ、次いで各デバイスを読取る。ポート１９にＵＳＢメモリ２０が接続されていない場合、このことが検出されると、ＮＶＲＡＭ１３Ｎ２のＯＳに制御を移す。次いでＯＳは、アプリケーションに制御を移す。
【００３０】
電源オン時にポート１９にＵＳＢメモリ２０が接続されている場合、ＢＩＯＳを介しＭＰＵ１１によりこれが検出されると、ＢＩＯＳはＭＰＵ１１に対し、ＵＳＢメモリ２０からＩＰＬを読み出させてＤＲＡＭ１３Ｄ上にロードさせ、ＩＰＬに制御を移させる。このＩＰＬはＭＰＵ１１に対し、ＯＳローダをＤＲＡＭ１３Ｄにロードさせ、ＯＳローダに制御を移させる。ＯＳローダはＭＰＵ１１に対し、ＯＳをＤＲＡＭ１３Ｄにロードさせ、次いでＯＳに制御を移させる。次いでＯＳはＭＰＵ１１に対し、アプリケーションをＤＲＡＭ１３Ｄにロードさせ、次いでアプリケーションに制御を移させる。
【００３１】
このようにして、操作パネル１５には、図２に示すようなユーザ専用のメニュー画面が表示される。
【００３２】
本実施例１によれば、ＵＳＢメモリ２０を画像形成装置１０のプロセッサ１１に結合させて画像形成装置１０に電源を投入することにより、ＵＳＢメモリ２０に格納されたユーザメニュー表示プログラムが他の必要なプログラムとともに起動されるので、１つの画像形成装置１０について、ユーザ毎に、そのユーザがよく利用する機能を簡単に起動できるようにメニューを表示させることができ、画像形成装置１０の操作性が向上するという効果を奏する。
【００３３】
なお、ＮＶＲＡＭ１３Ｎ１内のＯＳ及びアプリケーションを起動させた後にＵＳＢメモリ２０をポート１９に接続した場合、ＯＳはＭＰＵ１１に対しこの接続を検出させ、次いで該アプリケーションの一部であるリブートプログラムがＭＰＵ１１に対し、ＭＰＵ１１自身にリセット割込みをかけさせる構成であってもよい。
【００３４】
これにより、電源オン時にＵＳＢメモリ２０がポート１９に接続されていなくても、接続されていた場合と同じ動作が行われて、ユーザメニュー表示プログラムが起動されるので、画像形成装置１０の操作性がさらに向上する。
【実施例２】
【００３５】
図３は、本発明の実施例２に係る画像形成装置１０Ａの概略ブロック図である。
【００３６】
この画像形成装置１０Ａでは、インタフェース１２Ａに、図１のポート１９の代わりにタグリーダ２２が接続されている。インタフェース１２Ａは、タグリーダ２２に対するインタフェースを備えている点で図１のインタフェース１２と異なる。
【００３７】
図３の構成の場合の起動順は、１番がＮＶＲＡＭ１３Ｎ２であり、２番以下が存在しない。すなわち、ＮＶＲＡＭ１３Ｎ２のＯＳ及びアプリケーションが起動される。一方、ＨＤＤ１４には、複数のユーザメニューレイアウトデータがそれぞれ、ユーザ識別コードとしてのタグＩＤと対応して格納されている。
【００３８】
図４（Ｂ）は、図３の操作パネル１５のタッチパネルに表示される画面を示す。
【００３９】
この画面には、コピータブ１５５、ファックスタブ１５６、電子メールタブ１５７又はユーザメニュータブ１５８の選択に応じてメニューが表示される。ユーザメニューは、ＨＤＤ１４に格納されたユーザメニューレイアウトデータの１つに対応している。
【００４０】
ユーザメニューは、コピー、ＦＡＸ及び電子メールのメニュー画面上に表示されるボタン、ラベル、テキストボックス及び方向キーなどのコントロールをコピーして選択的にユーザメニュー画面上にレイアウトし、その属性値を適当に設定したものである。このレイアウトのデータは、ホストコンピュータ２１により作成される。図５は、レイアウトデータの一例を示す。
【００４１】
図５において、「画面Ｎｏ．」は、図４（Ｂ）のコピータブ１５５、ファックスタブ１５６及び電子メールタブ１５７に対応した画面のナンバー１〜３である。「ボーダライン」は、各コントロールの矩形枠であり、"Ｙ"はボーダライン有りを示し、"Ｎ"はボーダライン無しを示す。図４（Ａ）はコントロールの全てがボーダライン有りの場合であり、図４（Ｂ）は、見栄え上その一部のコントロールのみボーダライン有りの場合である。図５において、「配置座標」は、ボーダラインが有るときのコントロール左上頂点のタッチパネル上でのＸ−Ｙ座標であり、単位はピクセルである。「設定値」は、そのコントロールに設定された値であり、例えば「用紙サイズ・向き」のコントロールの設定値は"Ａ４縦"であり、「ファクシミリ送信先」はアドレス帳の第５行である。
【００４２】
このテーブルの各行について、「ユーザメニュー」項目にレ印が付されていれば、そのコントロールがユーザメニュー上に配置され、コントロールに対するイベントハンドラは、コピー元のそれと同一である。すなわち、コピー元とコピー先のコントロールでは、送信先等の既定の属性値が異なるが、釦の押下等のイベントに対する処理は同一である。
【００４３】
図３において、ユーザ２３は、電子タグ２４を携帯しており、電子タグ２４がタグリーダ２２から所定距離内に入ると、タグリーダ２２から定期的に放射されている電波のエネルギーで電子タグ２４が起動し、そのＩＤコードが電波の形で射出される。タグリーダ２２はこれを受信すると、ＭＰＵ１１に割り込みをかける。これにより、ＮＶＲＡＭ１３Ｎ２に格納された割込ルーチンに制御が移り、図６に示すユーザメニュー切替処理が開始される。以下、括弧内は図６中のステップ識別符号である。
【００４４】
（Ｓ０）タグＩＤをタグリーダ２２から読み込む。
【００４５】
（Ｓ１）このタグＩＤが前回値ＩＤ０と一致すれば図６の処理を終了し、そうでなければステップＳ２へ進む。
【００４６】
（Ｓ２）このタグＩＤをＩＤ０に代入する。
【００４７】
（Ｓ３）このタグＩＤをキーとして、ＨＤＤ１４内のタグＩＤを検索する。
【００４８】
（Ｓ４）このタグＩＤと一致するものがＨＤＤ１４内に格納されていれば、ステップＳ３へ進み、そうでなければ図６処理を終了する。
【００４９】
（Ｓ５）この一致したタグＩＤに対応するユーザメニューレイアウトデータを、ＨＤＤ１４から読み込む。
【００５０】
（Ｓ６）このデータに基づいて、ユーザメニュー画面を作成し、これを操作パネル１５に表示可能な状態にするともに、各コントロール名のボタンの押下を、そのイベントハンドラと対応付ける。すなわち、ユーザがユーザメニュータブ１５８をタッチすれば図４（Ｂ）に示すようにこの画面が表示され、操作受付状態となる。
【００５１】
本実施例２によれば、タッチパネル上でのタブ１５５〜１５８へのタッチに応じて、規定のメニュー画面又はユーザメニュー画面を表示させ、タグリーダ２２によるタグＩＤ読み取りに応答して、タグＩＤに対応したユーザメニューレイアウトデータをＨＤＤ１４から読み出させ、ユーザメニューレイアウトデータに基づきユーザメニュー画面を作成させて、元のユーザメニュー画面と置換させるので、上記実施例１の効果が得られるとともに、さらに容易にユーザメニューを表示させることができ、画像形成装置１０の操作性がさらに向上するという効果を奏する。
【００５２】
また、ユーザメニューレイアウトデータが、規定のメニュー画面に含まれているコントロールの名前（識別コードであってもよい）と、コントロールの表示画面上配置座標とを含むので、容易にユーザメニューレイアウトデータを作成することができるという効果を奏する。
【実施例３】
【００５３】
図７は、本発明の実施例３に係る画像形成装置１０Ｂの概略ブロック図である。
【００５４】
この実施例３での起動順は、実施例２と同様に、１番がＮＶＲＡＭ１３Ｎ２であり、２番以下が存在しない。すなわち、ＮＶＲＡＭ１３Ｎ２のＯＳ及びアプリケーションが起動される。一方、ＵＳＢメモリ２０には、上記実施例２で述べたユーザメニューレイアウトデータが格納されている。
【００５５】
ＵＳＢメモリ２０をポート１９に接続させると、これがＮＶＲＡＭ１３Ｎ２に格納されているＯＳにより検出され、次いでＮＶＲＡＭ１３Ｎ２に格納されているアプリケーションの一部がＭＰＵ１１に対し、ＵＳＢメモリ２０内のユーザメニューレイアウトデータを読み出させ、これを上記実施例２と同様にユーザメニュー画面に表示可能な状態にさせる。
【００５６】
本実施例３によれば、ＵＳＢメモリ２０に、ユーザメニューレイアウトデータを格納させておき、ＵＳＢメモリ２０をプロセッサ１１に結合させることにより、ＵＳＢメモリ２０に格納されたユーザメニューレイアウトデータに基づきユーザメニュー画面を作成させてこれを前回のユーザメニュー画面と置換させるので、上記実施例１の効果が得られるとともに、実施例１よりも高速にメニューを表示させることができ、画像形成装置１０の操作性がさらに向上するという効果を奏する。
【００５７】
なお、本発明には外にも種々の変形例が含まれる。
【００５８】
例えば、図３において、タグリーダ２２を備える代わりに、操作パネル１５を操作してＩＤを直接入力する構成であってもよい。また、ＵＳＢメモリ２０にＩＤを格納しておき、これを画像形成装置１０Ａに接続したときにそのＩＤを読み込んで前記同様の処理を行う構成であってもよい。
【００５９】
また、本発明で用いられるリムーバブル記憶装置は、ＵＳＢメモリ２０に限定されず、各種メモリカードやリムーバブルハードディスク等であってもよい。
【図面の簡単な説明】
【００６０】
【図１】本発明の実施例１に係る画像形成装置の概略ブロック図である。
【図２】図１のＵＳＢメモリに格納された操作パネルアプリケーションによりタッチパネルに表示されるメニュー画面を示す図である。
【図３】本発明の実施例２に係る画像形成装置の概略ブロック図である。
【図４】図３の操作パネルのタッチパネルに表示される画面を示す図であり、（Ａ）は各コントロールにボーダラインを付した状態を示し、（Ｂ）は全コントロールの一部にボーダラインを付した状態を示す。
【図５】レイアウトデータ説明図である。
【図６】タグリーダからＭＰＵへの割込により開始されるユーザメニュー切替処理のフローチャートである。
【図７】本発明の実施例３に係る画像形成装置の概略ブロック図である。
【符号の説明】
【００６１】
１０、１０Ａ、１０Ｂ  画像形成装置
１１  ＭＰＵ
１２  インタフェース
１３Ｎ１、１３Ｎ２  ＮＶＲＡＭ
１３Ｄ  ＤＲＡＭ
１４  ＨＤＤ
１５  操作パネル
１５０  コピー釦
１５１  ファックス釦
１５２  電子メール釦
１５３  詳細設定釦
１５４  実行釦
１５５  コピータブ
１５６  ファックスタブ
１５７  電子メールタブ
１５８  ユーザメニュータブ
１６  プリンタ
１７  ＮＩＣ
１８  モデム
１９  ポート
２０  ＵＳＢメモリ
２１  ホストコンピュータ
２２  タグリーダ
２３  ユーザ
２４  電子タグ
【図１】
2008022130.tif 000003
【図２】
2008022130.tif 000004
【図３】
2008022130.tif 000005
【図４】
2008022130.tif 000006
【図５】
2008022130.tif 000007
【図６】
2008022130.tif 000008
【図７】
2008022130.tif 000009